(57)【要約】【課題】汚物を詰まらせることなく、早期にサイホン作用を発生させることができる水洗大便器を提供する。【解決手段】本発明は、立上管路12と立下管路14を備えたトラップ排水路6を有する水洗大便器において、トラップ排水路の立下管路の下端に接続された屈曲管路16,26,30,40と、この屈曲管路の下流端に接続された横排水管路18,32又は縦排水管路28,42と、を有し、屈曲管路の内側下面を立下管路から落下してきた洗浄水が横排水管路又は縦排水管路の入口の上端近傍に向けて跳ね上がるような平坦面20に形成したことを特徴としている。【選択図】図１
2010236203.tif 000002
【特許請求の範囲】
【請求項１】
立上管路と立下管路を備えたトラップ排水路を有する水洗大便器において、
トラップ排水路の立下管路の下端に接続された屈曲管路と、
この屈曲管路の下流端に接続された排水管路と、を有し、
上記屈曲管路の内側下面を上記立下管路から落下してきた洗浄水が上記排水管路の入口の上端近傍に向けて跳ね上がるような面形状に形成したことを特徴とする水洗大便器。
【請求項２】
上記屈曲管路の内側下面の面形状は、平坦面である請求項１記載の水洗大便器。
【請求項３】
上記屈曲管路の内側下面の平坦面の幅方向の両端部には、Ｒ部が形成されている請求項２記載の水洗大便器。
【請求項４】
上記屈曲管路の平坦面の幅方向長さが、屈曲管路の内径の少なくとも１／２の長さを有する請求項２又は請求項３に記載の水洗大便器。
【請求項５】
上記排出管路の入口近傍に断面積を小さくする絞り部を設けた請求項１乃至請求項４の何れか１項に記載の水洗便器。
【請求項６】
上記屈曲管路の平坦面の下流側で平坦面に連続する上記排水管路の断面形状をほぼ円筒形状とした請求項１乃至５の何れか１項に記載の水洗大便器。
【請求項７】
上記屈曲管路及び排水管路が、上記立下管路に着脱自在に取り付けられた排水ソケットにより形成されている請求項１乃至請求項６の何れか１項に記載の水洗大便器。
【発明の詳細な説明】
【技術分野】
【０００１】
本発明は、水洗大便器に係り、特に、便器本体に設けられ立上管路と立下管路を備えたトラップ排水路を有する水洗大便器に関する。
【背景技術】
【０００２】
特許文献１に示されているように、トラップ部が立上管路と立下管路とから構成され、この立下管路の下流端に横引き管路が接続され、この立下管路と横引き管路との境界部にフランジ部を設けて、流路の横方向の幅を狭くする絞り部を形成したサイホン式便器が知られている。このサイホン式便器においては、絞り部を形成することにより、洗浄水がぶつかり合って流れが乱され、洗浄水の排出に抵抗が増し、トラップ部が早期に満水状態になり、サイホン作用を発生させることができる。
【先行技術文献】
【特許文献】
【０００３】
【特許文献１】特開平11-200459号公報
【発明の概要】
【発明が解決しようとする課題】
【０００４】
しかしながら、上述したようなサイホン式便器においては、理論上、より大きな絞り部を設けることにより、より早くサイホン作用を発生させることができるが、実際上は、絞り部を大きくすると管路の断面積が小さくなり、そのために、汚物等が詰まり易くなるという問題が生じる。
また、近年、節水の要請から、より少ない洗浄水量により早期にトラップ部を満水状態にしてサイホン作用を発生させる必要がある。
【０００５】
本件発明は、このような従来技術の問題を解決するためになされたものであり、汚物を詰まらせることなく、早期にサイホン作用を発生させることができる水洗大便器を提供することを目的としている。
【課題を解決するための手段】
【０００６】
上記の目的を達成するために、本発明は、立上管路と立下管路を備えたトラップ排水路を有する水洗大便器において、トラップ排水路の立下管路の下端に接続された屈曲管路と、この屈曲管路の下流端に接続された排水管路と、を有し、屈曲管路の内側下面を立下管路から落下してきた洗浄水が排水管路の入口の上端近傍に向けて跳ね上がるような面形状に形成したことを特徴としている。
このように構成された本発明においては、屈曲管路の内側下面を立下管路から落下してきた洗浄水が排水管路の入口の上端近傍に向けて跳ね上がるような面形状に形成したので、この跳ね上がる洗浄水により、排水管路の入口近傍の断面が水膜によりシールされ、これにより、トラップ排水路が早期に満水状態となり、サイホン作用の起動を早めることができる。この結果、本発明によれば、少ない洗浄水により洗浄が可能となる。
【０００７】
本発明において、好ましくは、屈曲管路の内側下面の面形状は、平坦面である。
このように構成された本発明においては、屈曲管路の内側下面の面形状を平坦面としたので、この平坦面により、より多くの洗浄水を排水管路の入口の上端近傍へ向けることができる。この結果、本発明によれば、排水管路の入口近傍で水膜を形成して断面をシールし易くなり、サイホン作用の起動をさらに早めることができる。
【０００８】
本発明において、好ましくは、屈曲管路の内側下面の平坦面の幅方向の両端部には、Ｒ部が形成されている。
このように構成された本発明においては、立下管路から落下してきた洗浄水が平坦面で跳ね上がり排水管路の入口の上端近傍に向うとき、平坦面の幅方向の両端部に形成されたＲ部が、跳ね上がった洗浄水をガイドして屈曲管路の内周面に沿って上方へ流れるので、排水管路の入口近傍で水膜を形成して断面をシールし易くなり、サイホン作用の起動をさらに早めることができる。
【０００９】
本発明において、好ましくは、屈曲管路の平坦面の幅方向長さが、屈曲管路の内径の少なくとも１／２の長さを有する。
このように構成された本発明においては、立下管路から落下してきた洗浄水が平坦面で衝突する際、平坦面の幅方向長さが屈曲管路の内径の少なくとも１／２の長さを有しているので、平坦面で跳ね上がる洗浄水が幅方向に広がり易くなり、この広がった洗浄水の両側の水が屈曲管路の内周面に沿って上方へ流れるので、排水管路の入口近傍で水膜を形成して断面をシールし易くなり、サイホン作用の起動をさらに早めることができる。
【００１０】
本発明において、好ましくは、排出管路の入口近傍に断面積を小さくする絞り部を設けた。
このように構成された本発明においては、排出管路の入口近傍に断面積を小さくする絞り部を設けたので、排出管路の入口近傍で水膜を形成して断面をシールし易くなるので、サイホン作用の起動をさらに早めることができる。
【００１１】
本発明において、好ましくは、屈曲管路の平坦面の下流側で平坦面に連続する排水管路の断面形状をほぼ円筒形状とした。
このように構成された本発明においては、立下管路から落下してきた洗浄水が平坦面で跳ね上がり排水管路の入口の上端近傍に向うとき、平坦面の下流側で平坦面に連続する排水管路の断面形状をほぼ円筒形状としたので、平坦面から跳ね上がった洗浄水の両側の水が排水管路の内周面に沿って上方へ流れ、排水管路の入口近傍で水膜を形成して断面をシールし易くなり、サイホン作用の起動をさらに早めることができる。
【００１２】
本発明において、好ましくは、屈曲管路及び排水管路が、立下管路に着脱自在に取り付けられた排水ソケットにより形成されている。
このように構成された本発明においては、屈曲管路及び排水管路が、上記立下管路に着脱自在に取り付けられた排水ソケットにより形成されているので、便器の取り付け等が容易となり、また、設計及び製造の自由度が向上する。
【発明の効果】
【００１３】
本発明の水洗大便器によれば、汚物を詰まらせることなく、早期にサイホン作用を発生させることができる。
【図面の簡単な説明】
【００１４】
【図１】本発明の第１実施形態による水洗大便器を示す側面断面図である。
【図２】図１のII−II線に沿って見た断面図である。
【図３】図１に示す水洗大便器を後方から見た背面図である。
【図４】図１のIV−IV線に沿って見た断面図である。
【図５】本発明の第２実施形態による水洗大便器を示す側面断面図である。
【図６】本発明の第３実施形態による水洗大便器を示す側面断面図である。
【図７】本発明の第４実施形態による水洗大便器を示す側面断面図である。
【発明を実施するための形態】
【００１５】
以下、添付図面を参照して、本発明の実施形態による水洗大便器を説明する。
先ず、図１乃至図４により、本発明の第１実施形態による水洗大便器を説明する。図１は本発明の第１実施形態による水洗大便器を示す側面断面図であり、図２は図１のII−II線に沿って見た断面図であり、図３は図１に示す水洗大便器を後方から見た背面図であり、図４は図１のIV−IV線に沿って見た断面図である。
【００１６】
図１乃至図３に示すように、本発明の第１実施形態による水洗大便器１は、所謂、壁排水タイプの水洗大便器であり、便器本体２を備え、この便器本体２には、リム吐水口３と、汚物を受けるボウル部４と、このボウル部４の底部から延び汚物を外部へ排出するためのトラップ排水路６が形成されている。
トラップ排水路６は、ボウル部４の底部に設けられた入口部８と、この入口部８から頂部１０に向かって斜め上方に延びた立上管路１２と、この頂部１０から鉛直方向下方に向かう立下管路１４とを備えている。
【００１７】
トラップ排水路６の立下管路１４の下端には、流路がほぼ直角に屈曲した屈曲管路１６が接続さらに、この屈曲管路１６の便器後方側の下流端には、横方向に延びる横排水管路１８が接続されている。本実施形態においては、トラップ排水路６の立上管路１２と立下管路１４、屈曲管路１６、及び、横排水管路１８は、陶器製であり、焼結により便器本体２と共に一体的成形されるようになっている。なお、横排水管路１８の下流端は、排水管（図示せず）を介して室内の排水管（図示せず）に接続される。
【００１８】
屈曲管路１６は、図１において破線Ａで囲まれた部分であり、屈曲管路１６の内側下面は、その面形状が平坦面２０として形成されている。この平坦面２０は、完全に平坦な面のみでなく、若干の湾曲や若干の凹凸の面も含むものである。
【００１９】
また、横排水管路１８は、その内側の断面直径がＤ１である円筒形状の管路あるが、その入口近傍（屈曲管路１６との境界部でもある）は、上述した屈曲管路１６の平坦面２０に連続的に接続した円筒形状であり、さらに、横排水管路１８の入口近傍の上方部分には、絞り部２２が形成され、この絞り部２２により、横排水管路１８の入口近傍の断面積が狭くなっている。具体的には、横排水管路１８の入口近傍は、断面直径がＤ２（＜Ｄ１）の円筒形状であり、その中心位置は、上方に絞り部２２が形成されているので、他の部分（断面直径がＤ１）の中心位置より、下方となっている。
なお、絞り部２２は、長大汚物の排出に支障がない程度の大きさであるのが好ましく、さらに、必要に応じて、省略することも可能である。
【００２０】
次に、図４により、屈曲管路１６の内側下面に形成された平坦面２０について詳細に説明する。先ず、屈曲管路１６の内側下面に形成された平坦面２０は、基本的には、立下管路１４から落下してきた洗浄水が横排水管路１８の入口の上端近傍に向けて跳ね上がるような面形状に形成されている。
また、屈曲管路１６の平坦面２０の幅方向の両側部には、Ｒ部２４が形成されている。さらに、屈曲管路１６の平坦面２０の幅方向長さＷは、屈曲管路１６の内径の少なくとも１／２の長さとなっている。例えば、本実施形態においては、屈曲管路１６の内径は５３mmであり、平坦面２０の幅方向長さは３０mmである。
【００２１】
なお、図示しないが、この屈曲管路１６の平坦面２０を平皿状に形成して、平坦面２０が水溜部を兼ねるようにしてもよい。この場合には、水溜部により絞り部と同様な効果が生じると共に、流路断面が広くなるので、汚物を排出し易くなる。
【００２２】
次に、上述した本発明の第１実施形態による水洗大便器の作用効果を説明する。先ず、使用者により洗浄スイッチ（図示せず）が操作されると、リム吐水口３から便器本体１内のボウル部４に洗浄水が供給される。これにより、ボウル部４の溜水の水位が上昇すると共に、トラップ排水路６内にも洗浄水が流入する。洗浄水は、トラップ排水路６の入口部８から立上管路１２内を上昇し、次に、立下管路１４内で鉛直方向下方に落下し、屈曲管路１６の平坦面２０に衝突する。この平坦面２０に衝突した洗浄水は、図１に水流Ｂとして示すように、横排水管路１８の入口の上端近傍に向けて跳ね上がる。この跳ね上がる洗浄水により、横排水管路１８の入口近傍の断面が水膜によりシールされ、これにより、トラップ排水路６が早期に満水状態となり、サイホン作用の起動が早められる。このサイホン作用により、汚物が横排水管路１８を経て外部に排出される。このように、本実施形態によれば、少ない洗浄水により洗浄が可能となる。
【００２３】
また、本実施形態においては、横屈曲管路１８の内側下面の面形状を平坦面２０としたので、この平坦面２０により、より多くの洗浄水を上方へ跳ね上げることができ、且つ、洗浄水の勢いにより、この上方へ跳ね上がった洗浄水を横排水管路１８の入口の上端近傍へ向けることができる。この結果、本実施形態によれば、横排水管路１８の入口近傍で水膜を形成して断面をシールし易くなり、サイホン作用の起動をさらに早めることができる。
【００２４】
また、本実施形態においては、図４に示すように、立下管路１４から落下してきた洗浄水が平坦面２０で跳ね上がり横排水管路１８の入口の上端近傍に向うとき、平坦面２０の幅方向の両端部に形成されたＲ部２４が、跳ね上がった洗浄水をガイドして屈曲管路１６の内周面に沿って上方へ流れるので、横排水管路１８の入口近傍で水膜を形成して断面をシールし易くなり、サイホン作用の起動をさらに早めることができる。
【００２５】
また、本実施形態においては、立下管路１４から落下してきた洗浄水が平坦面２０で衝突する際、平坦面２０の幅方向長さＷが屈曲管路１８の内径の少なくとも１／２の長さを有しているので、平坦面２０で跳ね上がる洗浄水が幅方向に広がり易くなり、この広がった洗浄水の両側の水が屈曲管路１６の内周面に沿って上方へ流れるので、横排水管路１８の入口近傍で水膜を形成して断面をシールし易くなり、サイホン作用の起動をさらに早めることができる。
【００２６】
また、本実施形態においては、横排出管路１８の入口近傍に断面積を小さくする絞り部２２を設けたので、横排出管路１８の入口近傍で水膜を形成して断面をシールし易くなるので、サイホン作用の起動をさらに早めることができる。
【００２７】
さらに、本実施形態においては、立下管路１４から落下してきた洗浄水が平坦面２０で跳ね上がり横排水管路１８の入口の上端近傍に向うとき、平坦面２０の下流側で平坦面２０に連続する横排水管路１８の断面形状をほぼ円筒形状としたので、平坦面２０から跳ね上がった洗浄水の両側の水が横排水管路１８の内周面に沿って上方へ流れ、横排水管路１８の入口近傍で水膜を形成して断面をシールし易くなり、サイホン作用の起動をさらに早めることができる。
【００２８】
次に、図５により、本発明の第２実施形態による水洗大便器を説明する。図５は、本発明の第２実施形態による水洗大便器を示す側面断面図である。第２実施形態による水洗際便器の基本構造は、上述した第１実施形態と同じであるため、ここでは、第２実施形態の第１実施形態とは異なる部分の構造のみを説明する。
【００２９】
図５に示すように、第２実施形態の水洗大便器は、所謂、床排水タイプの水洗大便器である。屈曲管路２６は、前方に向けて屈曲しており、この屈曲管路２６の便器前方側の下流端には、縦排水管路２８が接続されている。
このように構成された第２実施形態においても、屈曲管路２６の内側下面には、同様な、平坦面２０が形成されているので、上述した第１実施形態と同様な作用効果が奏される。
【００３０】
次に、図６により、本発明の第３実施形態による水洗大便器を説明する。図６は、本発明の第３実施形態による水洗大便器を示す側面断面図である。第３実施形態による水洗際便器の基本構造は、上述した第１実施形態と同じであるため、ここでは、第３実施形態の第１実施形態とは異なる部分の構造のみを説明する。
【００３１】
図６に示すように、第３実施形態の水洗大便器は、第１実施形態と同様な、壁排水タイプの水洗大便器である。第３実施形態の水洗大便器においては、屈曲管路３０及び横排水管路３２の部分を、トラップ排水路６とは別体の樹脂製の排水ソケット３４としている。この排水ソケット３４は、その上流端（上端）が、ゴム製のシール材３６により、トラップ排水路６の立下管路１４の下端に着脱自在に取り付けられるようになっている。
【００３２】
このように構成された第３実施形態においても、第１実施形態と同様な優れた作用効果が奏される。さらに、第３実施形態においては、屈曲管路及び排水管路が、立下管路に着脱自在に取り付けられた排水ソケット３４により形成されているので、便器の取り付け等が容易となり、また、設計及び製造の自由度が向上する。
【００３３】
次に、図７により、本発明の第４実施形態による水洗大便器を説明する。図７は、本発明の第４実施形態による水洗大便器を示す側面断面図である。第４実施形態による水洗際便器の基本構造も、上述した第１実施形態と同じであるため、ここでは、第４実施形態の第１実施形態とは異なる部分の構造のみを説明する。
【００３４】
図７に示すように、第４実施形態の水洗大便器は、第２実施形態と同様な、床排水タイプの水洗大便器である。第４実施形態の水洗大便器においては、屈曲管路４０及び縦排水管路４２の部分を、トラップ排水路６とは別体の樹脂製の排水ソケット４４としている。この排水ソケット４４は、その上流端（上端）が、ゴム製のシール材４６により、トラップ排水路６の立下管路１４の下端に着脱自在に取り付けられるようになっている。
【００３５】
このように構成された第４実施形態においても、第１実施形態と同様な優れた作用効果が奏される。さらに、第４実施形態においては、屈曲管路及び排水管路が、立下管路に着脱自在に取り付けられた排水ソケット４４により形成されているので、便器の取り付け等が容易となり、また、設計及び製造の自由度が向上する。
【符号の説明】
【００３６】
１  水洗大便器
２  便器本体
６  トラップ排水路
１２  立上管路
１４  立下管路
１６，２６，３０，４０  屈曲管路
１８，３２  横排水管路
２０  平坦面
２２  絞り部
２４  Ｒ部
２８，４２  縦排水管路
３４，４４  排水ソケット
３６，４６  シール材
【図１】
2010236203.tif 000003
【図２】
2010236203.tif 000004
【図３】
2010236203.tif 000005
【図４】
2010236203.tif 000006
【図５】
2010236203.tif 000007
【図６】
2010236203.tif 000008
【図７】
2010236203.tif 000009